(57)【要約】【課題】加工が簡単であるとともに、容器の外周面に天然素材の木質薄板の木目の傾斜模様のデザイン性をもたらした表面木目斜傾模様の積層容器を提供する。【解決手段】０．５〜１ｍｍ厚さの木材スライス単薄板の木目方向に対して縦と横二枚直角に張り合わせた接合薄板を、２〜５枚の接合薄板である木材スライス複合平板を木目方向で６０〜８０°角度になるように切断して、前記切断した木材スライス複合板を使用した木製薄板積層容器を木目方向で６０〜８０°角度傾斜した外表面にして、前記木材スライス複合板を、底板体を敷いて２〜５重巻いて、２〜１０ｍｍの厚さに成型加工している木製薄板積層板を使用した略角型体にして、その開口を蓋様体を備えた角部を持つ筒状容器であり、その外側面部と蓋板体を木目を傾斜させた木目模様にしている木目斜傾模様表面を持つ積層容器である。【選択図】図１
2019202529.tif 000002
【特許請求の範囲】
【請求項１】
０．５〜１ｍｍ厚さの木材スライス単薄板の木目方向に対して縦と横二枚直角状態に張り合わせた接合薄板を、少なくとも２〜５枚の接合薄板である木材スライス複合平板を木目方向で３０〜８０°角度である表面になるように切断して、前記切断した木材スライス複合板を使用して角部と直線部を持つ筒状の木製薄板積層容器を木目方向で３０〜８０°角度に斜傾した外表面にして、前記木製薄板積層容器は木材スライス複合板を、底板体を敷いて２〜５重巻いた積層状態になり、前記容器の側板を２〜１０ｍｍの厚さに成型加工された木目斜傾表面の木製薄板積層板を使用した角部と直線部を持つ筒状略角型体になり、その上部の開口部を開閉できる蓋様体を備えた角部を持つ筒状容器であり、その外側面部と蓋板体とを木目で斜傾させた木目模様の容器にしていることを特徴とする木目斜傾模様表面を持つ積層容器。
【請求項２】
木材スライス単薄板は、鮮明な１〜１０ｍｍ幅の木目を呈する針葉樹林であるモミ材、ヒノキ材、スギ材で、前記材料の厚さ０．５〜１ｍｍの薄平板であり、前記薄平板の二枚を木目直角方向に接着剤によって接合した厚さ１〜２ｍｍ、幅２００〜２０００ｍｍ、長さ５００〜３０００ｍｍの材料の木材複合平板材を、木目方向１０〜３０°角度で、前記容器の幅５０〜２００ｍｍに木目斜傾的切断した側板用平板にして、前記側板用斜傾木目の表面、裏面の木目角度３０〜８０°の平板を表側にして筒状容器における５〜１０ｍｍ厚さの底板体に沿って、接着剤を塗布しながら２〜５回巻いて得られた表面で木目斜傾面を持つ角部と直線部を有する筒状容器側板になっていることを特徴とする請求項１に記載の木目斜傾模様表面を持つ積層容器。
【請求項３】
角部と直線部を持つ筒状容器における角部は、３０〜１３５°の角度を持った略三角形型、略四角形型、略五角形型、略六角形型、略八角形型、略台形型、略菱形型、略星形型の筒状容器であって、前記筒状容器の側外面に木目を鮮明にした３０〜８０°の斜傾を持ち、側板の厚さ２〜１０ｍｍ、高さ５０〜１５０ｍｍ、容積１００〜１５００ｍＬになっていることを特徴とする請求項１、又は請求項２に記載の木目斜傾模様表面を持つ積層容器。
【請求項４】
０．５〜１ｍｍ厚さの木材スライス単薄板を木目方向に対して二枚の縦と横直角に張り合わせた木材スライス複合板で、木目方向１０〜３０°角度で、容器の幅５０〜２００ｍｍに斜傾的切断した側板用平板の表面、又は裏面は、各平板の接合面に食品安全性の多糖質系、又はウレタン系エマルジョンの接着剤を使用した前記各平板の接合面に塗布して、塗布接合した後加圧成形処理を施した多積層板からなる容器側板材であることを特徴とする請求項１〜請求項３のいずれかに記載の木目斜傾模様表面を持つ積層容器。
【請求項５】
木目方向３０〜８０°角度の斜傾を持った外面にした積層板を使用した、前記側板用平板を有する蓋付薄板積層容器は、外面で木目傾斜面を有した角部と直線部とを持っている底板体、及び蓋板体を有する前記蓋付薄板積層筒様体であって、底板体、及び蓋板体の厚さはそれぞれ５〜１０ｍｍであって、前記両板体の端部から２〜１０ｍｍの位置に０．５〜２ｍｍ深さ、０．５〜２ｍｍ幅の掘り込み部をもった厚板を使用した蓋付薄板積層筒様形体であり、前記蓋付薄板積層筒様形体の蓋板体は、側板を嵌め込み式にしていることを特徴とする請求項１〜請求項４のいずれかに記載の木目斜傾模様表面を持つ積層容器。
【発明の詳細な説明】
【技術分野】
【０００１】この発明は、木製の薄平板を使用してデザイン性傾斜木目平板の外部表面にした食品用、および贈答品用収納容器にした、表面木目斜傾模様の表面で角部と直線部との側板を持つ積層筒状容器に関するものである。
【背景技術】
【０００２】従来、この種の円形状の蓋付き容器としては、合成樹脂や厚紙よりなる有底円筒状の主筒の開口端部に、同じく合成樹脂や厚紙よりなる蓋筒を開閉可能に嵌着するように構成したものが知られている。この従来構成においては、主筒及び蓋筒が合成樹脂や厚紙により形成されているため、主筒及び蓋筒の外周面に木目模様等の天然素材の模様を表出させるのが困難であった。【０００３】容器の外周面に天然素材の木質薄板の木目の傾斜模様のデザイン性をもたらした表面木目斜傾模様の円形薄板積層容器を提供するに対して、少なくとも２〜４枚の木材スライス単板を少なくとも一枚の木目５を３０〜６０°角度に傾斜した外面にして、接着剤にて張り合わせて、０．５〜５ｍｍの厚さに加圧成型し、その木製積層板を使用して、有底円形状の主円筒様体と、その主円筒様体の開口を開閉する蓋円筒様体とを備えた円形状の容器を構成するものが提案されている（特許文献１参照）。【０００４】また、福祉用具や学校用学習机椅子等の木製部材に使用されるウッドパイプとして、複数枚の木質の薄単板を巻回積層して接着固定することにより、円筒状のウッドパイプが形成されている。この場合、表面木目斜傾模様になるが、各層の薄板で巻き始め端縁と巻き終わり端縁とが、互いに重ならないように突合せ状態で接合されるとともに、ウッドパイプの軸線と平行に延びるように配置されている。また、各層における薄単板の突合せ接合部は、同一位置に重合しないように、ウッドパイプの円周方向へ位置をずらして配置されている容器も提案されている（特許文献２参照）。【０００５】有底円筒状の主筒と、その主筒の開口を開閉する蓋筒とを備えた円筒容器において、前記主筒及び蓋筒を木製の薄板を軸線に対して傾斜するように巻回して構成するとともに、その薄板の端縁により前記主筒及び蓋筒の外周面に段差状の装飾部を形成した木製の円筒容器が提案されている（特許文献３参照）。【０００６】側板を円形曲げで製作された楕円形、又は円形の蓋付き容器において、幅、又は直径５０〜１００ｍｍ、容積３００〜１５００ｍｌの楕円形、又は円形の筒状形体で、０．８〜１．２ｍｍの厚さの薄板を使用して張り合わせた側板の厚さを１．６〜３．６ｍｍにし、及び底板、及び蓋板の厚さを５〜１０ｍｍの楕円形、又は円形の平板にして、筒状容器寸法として縦長さ５０〜１００ｍｍ、横長さ１００〜２００ｍｍ、高さ４０〜７０ｍｍにした円形曲げ部分を半径２５〜７５ｍｍである蓋付き小型円形状容器にしている円曲状張り合わせ弁当箱容器が提案されている（特許文献４参照）。【０００７】上記のように薄板を使用した積層体容器は、接着性、及びデザイン性で十分ではなく、加工方法に工夫をもたらすか、特にデザイン性外部表面では材料として樹脂製、紙製などの装飾物、あるいは焼印が使用されていた。しかし特殊な模様の木製薄板での可能性が期待されている。またこのような表面木目斜傾模様の平板の円形を有する食品、贈答品などを収納できる入り蓋、及び入り底ありの蓋付き木製容器については、今まで存在していない。
【先行技術文献】
【特許文献】
【０００８】
【特許文献１】実用新案登録第３１９４３７７号公報
【特許文献２】特開２００５−２８８８１４号公報
【特許文献３】特開２０１０−５９６２号公報
【特許文献４】実用新案登録第３２０２９１１号公報
【発明の概要】
【発明が解決しようとする課題】
【０００９】木製薄板の円形状の容器を製作する場合においては、一般に薄板の破損、亀裂などが起こり、十分な容器の収率をもたらすことができない。同じ径の木製容器を複数作製しようとすれば、その木製容器の外径の２倍以上の木材を必要とするため、原材料の浪費に直結する。従って、薄板を二枚以上の貼り合わせた積層体で、強度、または破損を防ぐことが行われている。しかし貼り合わせでも直交的に行われている。しかし強度には解決しているが、デザイン的には十分ではない。【００１０】また円筒状で、積層体の木製容器の外径の２倍未満の木材からは径の異なる木製容器しか作製できない。しかも、従来技術においては、木製容器の外周面には何らの装飾も施されず、きわめて興趣に乏しい。また薄単板を使用した容器は、強度的に十分ではなく、加工方法に工夫をもたらすか、材料として樹脂製などが使用されていた。しかし特殊な木製薄板での外部表面の装飾の可能性が期待されている。【００１１】また、従来構成では、表面木目斜傾模様のものは存在していない。積層体で複数枚の木質の薄単板が用いられているため、複数枚の木質の薄単板が巻回積層された各層において、薄単板で巻き始め端縁と、巻き終わり端縁とが突合せ状態で接着剤によって接合されているため、各層の薄単板の幅を外側層ほど次第に大きくなるように変更調整する必要があり、隙間の多いものであった。よって、同一形状の木製薄単板を使用することができず、薄単板の加工が面倒になるという問題があった。さらに木製薄板で強度的に可能な材料が必要であった。【００１２】また、木製薄板容器の外周面に最外層の表面木目斜傾模様の薄単板の突合せ接合部が、容器の外周面と同一周面上で、容器の軸線に沿って直線状に延びるように現れるように構成されている。このため、外周面に立体的なデザイン変化を醸しだすことができないという問題もあった。木質の薄単板により円筒容器の主筒及び蓋筒を形成したとしても、加工が簡単でデザイン的に優れた円筒容器を得ることができなかった。【００１３】この考案は、このような従来の薄板容器の技術課題に存在する問題点に着目して、デザイン性、強度などで対応なされたものである。その目的は、表面木目斜傾模様の薄板で強靭性を持って、殺菌性、防菌性を有している材料を使用して、筒状などの複雑な容器加工が簡単に処理できるとともに、木目斜傾を持つ筒状容器で外周面に天然素材の立体的な表面木目斜傾模様のデザイン性変化を醸しだすことができる角部を有する容器を提供することにある。
【課題を解決するための手段】
【００１４】０．５〜１ｍｍ厚さの木材スライス単薄板の木目方向に対して縦と横二枚直角状態に張り合わせた接合薄板を、少なくとも２〜５枚の接合薄板である木材スライス複合平板を木目方向で３０〜８０°角度である表面になるように切断して、前記切断した木材スライス複合板を使用して角部と直線部を持つ筒状の木製薄板積層容器を木目方向で３０〜８０°角度に斜傾した外表面にして、前記木製薄板積層容器は木材スライス複合板を、底板体を敷いて２〜５重巻いた積層状態になり、前記容器の側板を２〜１０ｍｍの厚さに成型加工された木目斜傾表面の木製薄板積層板を使用した角部と直線部を持つ筒状略角型体になり、その上部の開口部を開閉できる蓋様体を備えた角部を持つ筒状容器であり、その外側面部と蓋板体とを木目で斜傾させた木目模様の容器にしている木目斜傾模様表面を持つ積層容器である。好ましくは木材スライス複合平板を木目方向で５０〜７０°角度を持っている筒状容器である。【００１５】木材スライス単薄板は、鮮明な１〜１０ｍｍ幅の木目を呈する針葉樹林であるモミ材、ヒノキ材、スギ材で、前記材料の厚さ０．５〜１ｍｍの薄平板であり、前記薄平板の二枚を木目直角方向に接着剤によって接合した厚さ１〜２ｍｍ、幅２００〜２０００ｍｍ、長さ５００〜３０００ｍｍの材料の木材複合平板材を、木目方向１０〜３０°角度で、前記容器の幅５０〜２００ｍｍに木目斜傾的切断した側板用平板にして、前記側板用斜傾木目の表面、裏面の木目角度３０〜８０°の平板を表側にして筒状容器における５〜１０ｍｍ厚さの底板体に沿って、接着剤を塗布しながら２〜５回巻いて得られた表面で木目斜傾面を持つ角部と直線部を有する筒状容器側板になっている。前記側板用平板の巻き数としては、好ましくはヒノキ材、スギ材で２〜４回である。【００１６】角部と直線部を持つ筒状容器における角部は、３０〜１３５°の角度を持った略三角形型、略四角形型、略五角形型、略六角形型、略台形型、略菱形型、略星形型の筒状容器であって、前記筒状容器の側外面に木目を鮮明にした３０〜８０°の傾斜を持ち、厚さ２〜１０ｍｍ、高さ５０〜２００ｍｍ、容積１００〜１５００ｍＬになっている。好ましくは側外面に木目を鮮明にした５０〜８０°の傾斜を持ち筒状容器は、厚さ２〜８ｍｍ、高さ５０〜１００ｍｍ、容積１００〜８００ｍＬである。【００１７】０．５〜１ｍｍ厚さの木材スライス単薄板を木目方向に対して二枚縦と横直角に張り合わせた木材スライス複合板で、木目方向１０〜３０°角度で、容器の幅５０〜２００ｍｍに傾斜的切断した側板用平板の裏面、又は表面は、各平板の接合面に食品安全性の多糖質系、又はウレタン系エマルジョンの接着剤を使用した前記各平板の接合面に塗布して、塗布接合した後加圧成形処理を施した多積層板からなる容器側板材である。【００１８】木目方向３０〜８０°角度の傾斜を持った外面にした積層板を使用した、前記側板用平板を有する蓋付薄板積層容器は、外面で木目傾斜面を有した角部を持っている底板体、及び蓋板体を有する前記蓋付薄板積層筒様体であって、底板体、及び蓋板体の厚さはそれぞれ５〜１０ｍｍであって、前記両板体の端部から２〜１０ｍｍの位置に０．５〜２ｍｍ深さ、０．５〜２ｍｍ幅の掘り���み部をもった厚板を使用した蓋付薄板積層筒様形体であり、前記蓋付薄板積層筒様形体の蓋板体は、側板を嵌め込み式にしている。【００１９】又は蓋表面板と側板には彫刻模様または刻印を焼き付けてあって、その前記表面木目斜傾模様の円形薄板積層容器上の装飾部と高さ５０〜２００ｍｍの蓋体の装飾部とを別々になり、又は外筒様体と蓋板体との装飾部とが連続して、３０〜５００ｍｍ範囲の全円筒様体に装飾模様になっている。
【発明の効果】
【００２０】この考案によれば、特殊な木材を使用した薄板を使用して３０〜８０°の木目斜傾模様で角部を有する入り蓋、及び入り底ありの蓋付き筒様形状容器を簡単に加工・製造を行うことができるとともに、薄板間の木目斜傾模様の角部を有する筒形状での接合性もよくなって、角部を有する筒形状様容器に強度にも十分な食品、贈答品の容器として、外周面に天然木製素材で立体的な木目斜傾模様の角部を有する筒形状のデザイン性変化を醸しだすことができるという効果を発揮した。【００２１】３０〜８０°の木目斜傾模様の筒様形状においても、薄板の強度は十分で、亀裂とかヒズミなどが存在しない強靭な容器で、食品、あるいは贈答品の包装に対して、殺菌性、抗菌性などをもたらした。また食品、贈答品を収納する場合には、収納品を引き立たせて、自然性と高価性を備えた木製容器に仕立てられるようになった。
【図面の簡単な説明】
【００２２】
【図１】木目斜傾模様表面を持つ略三角形状積層容器の斜視図。
【図２】表面木目斜傾模様である木目斜傾模様表面を持つ積層容器で、入り蓋ありの蓋筒様体とを分離したる蓋付薄板容器の斜視図  Ａ：容器本体  Ｂ：蓋体
【図３】木目斜傾模様表面を持つ積層容器における木目斜傾模様の材料である薄平板の積層体の張り合わせと切断の図。Ａ：貼り合わせの図  Ｂ：切断図
【図４】木目斜傾模様表面を持つ積層容器における木目斜傾模様の材料である薄平板の積層体を巻いている図。
【図５】木目斜傾模様の五角形形状を有する蓋付薄板容器の斜視図  Ａ：容器本体  Ｂ：蓋体
【図６】木目斜傾模様の台形型形状を有する蓋付薄板容器の斜視図  Ａ：容器本体  Ｂ：蓋体
【図７】木目斜傾模様の蓋付き六角形容器の状態を示す斜視図。Ａ：容器本体  Ｂ：蓋体
【発明を実施するための形態】
【００２３】以下に、この発明の一実施形態を、図面に基づいて説明する。
図１及び図２に示すように、この実施形態の表面木目斜傾模様の略三角形容器は、三角形主筒様容器体と、その主筒の開口端部に脱着開閉可能に取り付けられた蓋体とから構成されている。表面木目斜傾模様の主三角形容器体は、三角状の内筒と、その内筒の外側に嵌合固定された三角状の外筒側板と、三角形蓋体とより構成されている。蓋体は、表面を木目斜傾模様の三角形状の蓋体と、その蓋体の端部を削って、その部分を主三角形容器体に嵌合された略三角形状積層容器上部の側板面にあわせことにより構成されている。
【実施例１】
【００２４】図３Ａに示すように０．７ｍｍ厚さの杉木材スライス単薄板の木目方向に対して縦と横二枚直角に張り合わせた接合薄板を、２枚の接合薄板である木材スライス複合平板を木目方向で６０〜８０°角度になる表面になるように切断して、前記切断した木材スライス複合板を使用して特殊形状の木製薄板積層容器を木目方向で６０〜８０°角度傾斜した外面にして、前記木材スライス複合板を、底板を敷いて２重巻いて張り合わせて、２．８〜３ｍｍの厚さに成型加工している木製薄板積層板を使用した、略三角形型体と、その開口を開閉する蓋様体を備えた特殊形状容器であり、その外側面部と蓋体が木目方向で５０〜８０°角度に傾斜にした木目模様になっている木目斜傾模様表面を持つ積層容器であった。【００２５】図４に示すように、木材スライス単薄板は、２〜１０ｍｍの幅で鮮明な木目を呈するに針葉樹林であるスギ材の厚さ０．７ｍｍの木製の薄平板の二枚を木目の直角方向に接着剤によって接合した、図３Ｂに示すように幅５００ｍｍ、長さ１５００ｍｍの材料の木材スライス複合平板材を、木目方向３０°角度で、容器の幅１００ｍｍに傾斜的切断した側板用平板にして、図１，２に示すように前記側板用平板を三角形状１０ｍｍ厚さの底板に接着剤を使用して２回巻いた。【００２６】特殊形状容器は、６０°の角部を持った三角形型の筒状容器であって、前記筒状容器の側外面に木目を鮮明にした６０〜８０°の傾斜を持ち、厚さ３ｍｍ、高さ１００ｍｍ、容積約６００ｍＬである。【００２７】木材スライス単薄板の２枚を並べて０．７ｍｍ厚さの木材スライス単薄板の木目方向に対して縦と横二枚直角に張り合わせた接合薄板、及び木目方向３０°角度で、容器の幅１００ｍｍに傾斜的切断した側板用平板は、各平板の接合面に、食品安全性ウレタン系エマルジョンの接着剤を使用した前記各平板の接合面に塗布して、塗布接合した積層板を、５０ｋｇ／ｃｍ２の加圧成形で処理したものを使用した。【００２８】木目方向６０〜８０°角度の傾斜を持った外面にした積層板を使用した、前記側板用平板を有する蓋付薄板積層容器は、外面で木目傾斜面を有して角部を持っている入り底あり、及び入り蓋ありの前記蓋付薄板積層筒様体であって、前記の薄平板の端部から３ｍｍの位置に１ｍｍ深さ、１ｍｍ幅の掘り込み部をもった厚板を使用した蓋付薄板積層筒様形体であり、前記蓋付薄板積層筒様形体の蓋体は、底板と同様で１０ｍｍの厚さにした。
この容器を弁当容器に使用した。この容器を、おにぎり３個とおかずを入れて１０回弁当箱として使用して、使用後は毎回洗浄、乾燥させたが、形状、表面での変化は少なかった。
【実施例２】
【００２９】図３Ａに示すように１ｍｍ厚さの杉木材スライス単薄板の木目方向に対して縦と横二枚直角に張り合わせた接合薄板を、少なくとも４枚の接合薄板である木材スライス複合平板を木目方向で６０〜７０°角度になるように切断して、前記切断した木材スライス複合板を使用して特殊形状の木製薄板積層容器を木目方向で６０〜７０°角度傾斜した外面にして、前記木材スライス複合板を、底板を敷いて４重巻いて張り合わせて、８ｍｍの厚さに成型加工している木製薄板積層板を使用した、略三角形型体と、その開口を開閉する蓋様体を備えた特殊形状容器であり、その外側面部と蓋体が木目方向で６０〜７０°角度に傾斜にした木目模様になっている木目斜傾模様表面を持つ積層容器であった。【００３０】図５に示すように、木材スライス単薄板は、２〜８ｍｍの幅で鮮明な木目を呈するに針葉樹林であるスギ材の厚さ１ｍｍの木製の薄平板の二枚を木目の直角方向に接着剤によって接合した、図３Ｂに示すように幅７００ｍｍ、長さ２０００ｍｍの材料の木材スライス複合平板材を、木目方向２５°角度で、容器の幅９０ｍｍに傾斜的切断した側板用平板にして、図５に示すように前記側板用平板を五角形状容器の１０ｍｍ厚さの底板に接着剤を使用して４回巻いた。【００３１】特殊形状容器は、約１０８°の角部を持った五角形型の筒状容器であって、前記筒状容器の側外面に木目を鮮明にした６０〜７０°の傾斜を持ち、厚さ８ｍｍ、高さ９０ｍｍ、容積約７００ｍＬである。【００３２】木材スライス単薄板の２枚を並べて１ｍｍ厚さの木材スライス単薄板の木目方向に対して縦と横二枚直角に張り合わせた接合薄板、及び木目方向２５°角度で、容器の幅１３０ｍｍに傾斜的切断した側板用平板は、各平板の接合面に、食品安全性ウレタン系エマルジョンの接着剤を使用した前記各平板の接合面に塗布して、塗布接合した積層板を、５０ｋｇ／ｃｍ２の加圧成形で処理したものを使用した。【００３３】木目方向６０〜７０°角度の傾斜を持った外面にした積層板を使用した、前記側板用平板を有する蓋付薄板積層容器は、外面で木目傾斜面を有して角部を持っている入り底あり、及び入り蓋ありの前記蓋付薄板積層筒様体であって、前記の薄平板の端部から２ｍｍの位置に１．５ｍｍ深さ、１．５ｍｍ幅の掘り込み部をもった厚板を使用した蓋付薄板積層筒様形体であり、前記蓋付薄板積層筒様形体の蓋体は、底板と同様で１０ｍｍの厚さにした。
この五角形容器を弁当容器に使用した。この容器を、ご飯とおかずを入れて５回弁当箱として使用して、使用後は毎回洗浄、乾燥させたが、形状、表面での変化は少なかった。
【実施例３】
【００３４】図３Ａに示すように０．８ｍｍ厚さの杉木材スライス単薄板の木目方向に対して縦と横二枚直角に張り合わせた接合薄板を、少なくとも４枚の接合薄板である木材スライス複合平板を木目方向で５０〜７０°角度になるように切断して、前記切断した木材スライス複合板を使用して特殊形状の木製薄板積層容器を木目方向で５０〜７０°角度傾斜した外面にして、前記木材スライス複合板を、底板を敷いて５重巻いて張り合わせて、８ｍｍの厚さに成型加工している木製薄板積層板を使用した、略三角形型体と、その開口を開閉する蓋様体を備えた特殊形状容器であり、その外側面部と蓋体が木目方向で５０〜７０°角度に傾斜にした木目模様になっている木目斜傾模様表面を持つ積層容器であった。【００３５】図６に示すように、木材スライス単薄板は、２〜１０ｍｍの幅で鮮明な木目を呈するに針葉樹林であるヒノキ材の厚さ０．８ｍｍの木製の薄平板の二枚を木目の直角方向に接着剤によって接合した、図３Ｂに示すように幅７００ｍｍ、長さ１５００ｍｍの材料のヒノキ木材スライス複合平板材を、木目方向２５°角度で、容器の幅１００ｍｍに傾斜的切断した側板用平板にして、図６に示すように前記側板用平板を台形状容器の１０ｍｍ厚さの底板に接着剤を使用して５回巻いた。【００３６】特殊形状容器は、約１２０°と６０°の角部を持った台形の角形型の筒状容器であって、前記筒状容器の側外面に木目を鮮明にした５０〜７０°の傾斜を持ち、厚さ８ｍｍ、高さ１００ｍｍ、容積約６００ｍＬであった。【００３７】木材スライス単薄板の２枚を並べて１ｍｍ厚さのヒノキ木材スライス単薄板の木目方向に対して縦と横二枚直角に張り合わせた接合薄板、及び木目方向２５°角度で、容器の幅１００ｍｍに傾斜的切断した側板用平板は、各平板の接合面に、食品安全性ウレタン系エマルジョンの接着剤を使用した前記各平板の接合面に塗布して、塗布接合した積層板を、３０ｋｇ／ｃｍ２の加圧成形で処理したものを使用した。【００３８】木目方向５０〜７０°角度の傾斜を持った外面にした積層板を使用した、前記側板用平板を有する蓋付薄板積層容器は、外面で木目傾斜面を有して角部を持っている入り底あり、及び入り蓋ありの前記蓋付薄板積層筒様体であって、前記の薄平板の端部から２ｍｍの位置に１．０ｍｍ深さ、１．０ｍｍ幅の掘り込み部をもった厚板を使用した蓋付薄板積層筒様形体であり、前記蓋付薄板積層筒様形体の蓋体は、底板と同様で１０ｍｍの厚さにした。
この台形の角形容器をお菓子の収納容器に使用した。
【実施例４】
【００３９】図３Ａに示すように１ｍｍ厚さの杉木材スライス単薄板の木目方向に対して縦と横二枚直角に張り合わせた接合薄板を、２枚の接合薄板である木材スライス複合平板を木目方向で６０〜７０°角度になるように切断して、前記切断した木材スライス複合板を使用して特殊形状の木製薄板積層容器を木目方向で６０〜７０°角度傾斜した外面にして、前記木材スライス複合板を、底板を敷いて４重巻いて張り合わせて、４ｍｍの厚さに成型加工している木製薄板積層板を使用した、略三角形型体と、その開口を開閉する蓋様体を備えた特殊形状容器であり、その外側面部と蓋体が木目方向で６０〜７０°角度に傾斜にした木目模様になっている木目斜傾模様表面を持つ積層容器であった。【００４０】図７に示すように、木材スライス単薄板は、２〜８ｍｍの幅で鮮明な木目を呈するに針葉樹林であるモミ材の厚さ１ｍｍの木製の薄平板の二枚を木目の直角方向に接着剤によって接合した、図３Ｂに示すように幅７００ｍｍ、長さ２０００ｍｍの材料の木材スライス複合平板材を、木目方向２５°角度で、容器の幅１００ｍｍに傾斜的切断した側板用平板にして、図７に示すように前記側板用平板を六角形状容器の１０ｍｍ厚さの底板に接着剤を使用して２回巻いた。【００４１】特殊形状容器は、約１２０°の角部を持った五角形型の筒状容器であって、前記筒状容器の側外面に木目を鮮明にした６０〜７０°の傾斜を持ち、厚さ４ｍｍ、高さ１００ｍｍ、容積約８００ｍＬである。【００４２】モミ木材スライス単薄板の２枚を並べて１ｍｍ厚さの木材スライス単薄板の木目方向に対して縦と横二枚直角に張り合わせた接合薄板、及び木目方向２５°角度で、容器の幅１００ｍｍに傾斜的切断した側板用平板は、各平板の接合面に、食品安全性ウレタン系エマルジョンの接着剤を使用した前記各平板の接合面に塗布して、塗布接合した積層板を、５０ｋｇ／ｃｍ２の加圧成形で処理したものを使用した。【００４３】木目方向６０〜７０°角度の傾斜を持った外面にした積層板を使用した、前記側板用平板を有する蓋付薄板積層容器は、外面で木目傾斜面を有して角部を持っている入り底あり、及び入り蓋ありの前記蓋付薄板積層筒様体であって、前記の薄平板の端部から２ｍｍの位置に１．５ｍｍ深さ、１．５ｍｍ幅の掘り込み部をもった厚板を使用した蓋付薄板積層筒様形体であり、前記蓋付薄板積層筒様形体の蓋体は、底板と同様で１０ｍｍの厚さにした。
この五角形容器を弁当容器に使用した。この容器を、ご飯とおかずを入れて５回弁当箱として使用して、使用後は毎回洗浄、乾燥させたが、形状、表面での変化は少なかった。
【符号の説明】
【００４４】１  木目斜傾模様表面を持つ積層容器、
２  側板体、
３  底板体、
４  蓋体、
５  木目、
６  薄板の二枚の積層体
７  置き蓋
８  木製のスライス薄平板、
９  掘り込み部、
１０  木目斜傾模様
１１  角部
１２  巻き終了部、
１３  側板用平板
１４  木材複合平板材
１５  外側段差部、
１６  内側段差部
１７  切断線
【図１】
2019202529.tif 000003
【図２】
2019202529.tif 000004
【図３】
2019202529.tif 000005
【図４】
2019202529.tif 000006
【図５】
2019202529.tif 000007
【図６】
2019202529.tif 000008
【図７】
2019202529.tif 000009